(57)【要約】【課題】治療空間が広く形成されるとともに、汎用性及びロバスト性の高い粒子線医療装置を提供する。【解決手段】粒子線医療装置１０は、静止系に固定されたベッド２４を内側に配置させビーム１９の照射ポート１８を胴体に固定させた状態で軸回転する回転ガントリ１５と、水平床面及びアーチ天井を有しベッド２４の少なくとも一部が収容される内部空間を有するトンネル構造体１６と、回転ガントリの内側面１５ａに対しトンネル構造体１６を回転変位させることにより回転ガントリ１５の軸回転とは無関係に静止系においてトンネル構造体１６を静止させる回転支持部５７と、を備えている。【選択図】  図１
2018201638.tif 000002
【特許請求の範囲】
【請求項１】
静止系に固定されたベッドを内側に配置させ、ビームの照射ポートを胴体に固定させた状態で軸回転する回転ガントリと、
少なくとも水平床面を有し、前記ベッドの少なくとも一部が収容される内部空間を有するトンネル構造体と、
前記回転ガントリの内側面に対し前記トンネル構造体を回転変位させることにより、前記回転ガントリの軸回転とは無関係に、前記静止系において前記トンネル構造体を静止させる回転支持部と、を備えることを特徴とする粒子線医療装置。
【請求項２】
請求項１に記載の粒子線医療装置において、
複数の板材を相互に屈曲自在に結合させて成り、前記トンネル構造体から前記内部空間が連続するように環状に形成され、前記照射ポートを貫通させた状態で前記回転ガントリとともに周回転する移動床を、さらに備えることを特徴とする粒子線医療装置。
【請求項３】
請求項２に記載の粒子線医療装置において、
前記移動床は、前記静止系に支持され前記トンネル構造体の垂直断面形状に略一致する閉軌道を有する第１レールに一端が係合され、
この移動床の他端は前記照射ポートを挟むように前記第１レールに対向配置された第２レールに係合されていることを特徴とする粒子線医療装置。
【請求項４】
請求項２又は請求項３に記載の粒子線医療装置において、
前記移動床は、前記照射ポートが貫通する箇所の前記板材の結合が分断された、少なくとも二つの分割体からなり、
各々の前記分割体は、前記閉軌道を互いに独立に走行するための走行手段を備えることを特徴とする粒子線医療装置。
【請求項５】
請求項４に記載の粒子線医療装置において、
シートが巻回されるとともに巻取り方向に回転付勢されたロールが、前記照射ポート及びこれに近接する前記分割体のエッジ部のいずれか一方に設けられ、巻回された前記シートの先端が他方に接続され、
前記照射ポート及び前記分割体の間に形成されている隙間を遮蔽することを特徴とする粒子線医療装置。
【請求項６】
請求項４又は請求項５に記載の粒子線医療装置において、
互いに近接しあう二つの前記分割体のエッジ部のいずれか一方に前記ロールが設けられ、他方に前記シートの先端が接続され、
二つの前記分割体のエッジ部の間に形成されている隙間を遮蔽することを特徴とする粒子線医療装置。
【請求項７】
請求項１から請求項６のいずれか１項に記載の粒子線医療装置において、
隣接する二つの前記板材を結合させる結合部材と、
それぞれの前記板材のエッジに設けられた切欠部において、前記結合部材の両端を、回動自在に支える軸支部と、
前記結合部材の回動に関し、前記ベッド側への前記板材の屈曲を許容し、その反対側への屈曲を規制する規制部材と、を備えることを特徴とする粒子線医療装置。
【発明の詳細な説明】
【技術分野】
【０００１】
本発明の実施形態は、回転ガントリを有する粒子線医療装置に関する。
【背景技術】
【０００２】
陽子、炭素イオン等の粒子線ビームを患者の患部（がん）に照射して治療を行う粒子線治療が広く実施されている。このような粒子線治療の一つとして、大型回転機構（以下、回転ガントリと称す）に内部形成された治療室内において、治療ベッド上に横臥させた患者を位置決めし、粒子線ビームを照射するというものがある。
【０００３】
このような回転ガントリを備えた粒子線医療装置は、回転ガントリに固定された照射ポートを回転させたり治療室内で治療ベッドを変位させたりすることにより、患者の患部に任意の方向から粒子線ビームを照射させる。
そして、回転ガントリ内部に形成される治療室は、回転ガントリの回転位置とは無関係に、床面が水平フラット状でその他の面が回転ガントリの内周に沿うアーチ状をとる移動床により形成されている。
【０００４】
さらに、照射ポートは移動床の開口部を貫通して、ガントリの回転に同期させて、移動床も全周回転させる。そして、この照射ポートの回転位置に対応して、移動床の開口部の大きさを調節し、貫通する照射ポートとの隙間を埋める機能が設けられている。この隙間が大きいと、技師のベッドへのアクセスが困難になり、治療室の外側に用具等が落下する危険性が高まるからである。
【先行技術文献】
【特許文献】
【０００５】
【特許文献１】特開平１１−４７２８７号公報
【特許文献２】特開２００１−３５３２２８号公報
【特許文献３】特開２０１１−１５６２６３号公報
【発明の概要】
【発明が解決しようとする課題】
【０００６】
全周回転しながら水平フラット床面とアーチ面を維持する移動床で治療室が形成されることにより、この治療室の内部空間における技師の作業性の向上や、治療ベッドに横臥する患者の精神的圧迫感の低減が図られる。
しかし、そのような移動床で治療室を形成する場合、移動床の機械剛性確保のため、治療室の特に回転軸方向の空間を広くとることができない。このために、技師の作業性の向上や、患者の精神的圧迫感の低減も、達成度が不十分となる。
【０００７】
また、移動床の開口部の大きさを調節する機能に関しても、従来技術では、採用されるスライド連結機構の接触面の擦れにより騒音が発生したり、適用に制限が存在したりする課題があった。
【０００８】
本発明の実施形態はこのような事情を考慮してなされたもので、治療空間が広く形成されるとともに、汎用性及びロバスト性の高い粒子線医療装置を提供することを目的とする。
【課題を解決するための手段】
【０００９】
実施形態に係る粒子線医療装置において、静止系に固定されたベッドを内側に配置させビームの照射ポートを胴体に固定させた状態で軸回転する回転ガントリと、少なくとも水平床面を有し前記ベッドの少なくとも一部が収容される内部空間を有するトンネル構造体と、前記回転ガントリの内側面に対し前記トンネル構造体を回転変位させることにより前記回転ガントリの軸回転とは無関係に前記静止系において前記トンネル構造体を静止させる回転支持部と、を備えることを特徴とする。
【発明の効果】
【００１０】
本発明の実施形態により、治療空間が広く形成されるとともに、汎用性及びロバスト性の高い粒子線医療装置が提供される。
【図面の簡単な説明】
【００１１】
【図１】（Ａ）本発明の第１実施形態に係る粒子線医療装置のＸ−Ｙ断面図、（Ｂ）そのＹ−Ｚ断面図。
【図２】（Ａ）各実施形態に係る粒子線医療装置の外観を示す斜視図、（Ｂ）移動床及びトンネル構造体の部分の全体斜視図。
【図３】（Ａ）（Ｂ）第２実施形態に適用される移動床の動作説明図。
【図４】（Ｃ）（Ｄ）第２実施形態に適用される移動床の動作説明図。
【図５】（Ａ）第３実施形態に適用される移動床の板材の連結部を示す側面図、（Ｂ）上面図、（Ｃ）屈曲した移動床の板材の連結部を示す側面図。
【発明を実施するための形態】
【００１２】
（第１実施形態）
以下、本発明の実施形態を添付図面に基づいて説明する。
図１（Ａ）は第１実施形態に係る粒子線医療装置１０のＸ−Ｙ断面図、（Ｂ）はそのＹ−Ｚ断面図を示している。図２（Ａ）は粒子線医療装置１０の外観を示している。
【００１３】
このように、粒子線医療装置１０は、静止系に固定されたベッド２４を内側に配置させビーム１９の照射ポート１８を胴体に固定させた状態で軸回転する回転ガントリ１５と、水平床面及びアーチ天井を有しベッド２４の少なくとも一部が収容される内部空間を有するトンネル構造体１６と、回転ガントリの内側面１５ａに対しトンネル構造体１６を回転変位させることにより回転ガントリ１５の軸回転とは無関係に静止系においてトンネル構造体１６を静止させる回転支持部５７と、を備えている。
【００１４】
さらに粒子線医療装置１０は、複数の板材１１（図２（Ｂ））を相互に屈曲自在に結合させて成りトンネル構造体１６から前記内部空間が連続するように環状に形成され照射ポート１８を貫通させた状態で回転ガントリ１５とともに周回転する移動床１２を、さらに備えている。
【００１５】
図２（Ａ）に示すように回転ガントリ１５は、一般に円筒形状を有する大型構造物であり、その両縁端の外周面に外接する複数の回転駆動部２３の回転駆動により、回転軸（Ｚ軸）周りに回転する。そして回転ガントリ１５は、回転駆動部２３を介して、基礎２１（静止系）によりその重量が支えられている。
回転ガントリ１５は、静止系に固定されたベッド２４を内側に配置させビーム１９の照射ポート１８を胴体に固定させた状態で軸回転する。
【００１６】
この回転ガントリ１５には、粒子線ビーム１９の照射ポート１８の他に、ビーム輸送系２７、ビームの偏向電磁石２８、その他の制御機器や構造物が、多数設けられている。
粒子線ビーム１９は、図示略のイオン源で発生したイオン（重粒子あるいは陽子イオン）を直線加速器で加速し、さらに円形加速器（図示略）に入射して設定エネルギーまでに高めることにより生成される。
【００１７】
そして、円形加速器から出力された粒子線ビームは、回転ガントリ１５と一体回転するように設けられたビーム輸送系（図示略）の回転軸Ｚの延長線上から入射する。
照射ポート１８は、回転ガントリ１５の内側に向かって挿入され、この回転ガントリ１５と共にベッド２４の周囲を±１８０度回転する。
このようにビーム輸送系に入射した粒子線ビームは、その軌道が偏向電磁石２８により曲げられて、照射ポート１８からベッド２４に横臥する患者に、３６０度の任意の方向から照射される。
【００１８】
このベッド２４は、建屋側の基礎（静止系）に土台が固定されており、回転ガントリ１５の内部を移動し、粒子線ビーム１９の照射位置に、患者の患部を位置決めする。
粒子線ビーム１９が患部に向かって照射されると、患者の体内を通過する際に運動エネルギーを失って速度を低下させるとともに、速度の二乗にほぼ反比例する抵抗を受けてある一定の速度まで低下すると急激に停止する。
そして、粒子線ビーム１９の停止点近傍では、ブラッグピークと呼ばれる高エネルギーが放出される。このブラッグピークの放出位置が患部に一致するようベッド２４の位置決めがなされているために、患部組織のみを死滅させ正常組織の障害が少ない治療が実行される。
【００１９】
図２（Ｂ）は、移動床１２及びトンネル構造体１６の部分を抽出して示す図である。移動床１２を構成する板材１１の各々は、長手方向におけるたわみ剛性が大きくかつ軽量であることが望まれる。そして複数の板材１１が、その側縁部において屈曲自在に相互結合している。
【００２０】
そして移動床１２は、その一部に設けた開口に、照射ポート１８を貫通させることにより、回転ガントリ１５の回転に同期して移動床１２を回転させることができる。
なお移動床１２の形態としては、一枚のシートを環状にして形成する場合の他に、第２実施形態で後述するように、複数の分離体のシートを環状に組み合わせて形成する場合もある。
【００２１】
この環状に形成された移動床１２の両端には、円弧及び直線からなる閉軌道を有する第１レール１３Ａ及び第２レール１３Ｂが、摺動自在に係合している。
これにより、移動床１２の内部空間は、フラット水平床とアーチで囲まれたトンネル形状を形成し、この移動床１２は、トンネル形状を静止させたまま回転軸Ｚ周りに回転することが可能になる。
【００２２】
この移動床１２は、後述するトンネル構造体１６の存在により、治療室の空間が十分に確保されるので、回転軸方向（Ｚ軸方向）に広くとる必要はない。このために、軽量でかつ機械剛性を高く設計できるので、移動床１２の回転運動をスムーズにかつ静音性を維持した状態で実施することができる。
【００２３】
第１レール１３Ａは、ベッド２４を固定した基礎２１の垂直壁面（静止系）６０の開口に一端が接続された空洞体５３の他端に、支持されている。
なお、第１レール１３Ａの基礎２１からの支持は、図示した方法に限定されることはない。例えば、回転ガントリ１５の内周面に対し回転自在に設けられた支持部（図示略）に第１レール１３Ａを固定し、この支持部が基礎２１の垂直壁面（静止系）６０に支持されることにより、第１レール１３Ａが間接的に静止系に支持されるようにしてもよい。
【００２４】
第２レール１３Ｂは、断面形状がこの第２レール１３Ｂの形状に略一致するトンネル構造体１６の周縁に固定されている。そして２レール１３Ｂは、照射ポート１８を挟むように第１レール１３Ａに対向配置され移動床１２の他端に係合している。
第１レール１３Ａと第２レール１３Ｂの間隔は、両者に挟まれる照射ポート１８の幅よりも若干広めであればよい。
これにより、回転ガントリ１５とともに回転する移動床１２において、回転軸（Ｚ軸）方向の寸法を控えめにすることで、重量の削減と機械剛性の向上とを両立させることができる。
【００２５】
さらに発展させ、照射ポート１８をさらに小径に設計し、空洞体５３とトンネル構造体１６との隙間を、技師の往来に支障がない程度に小さくすることができる場合等は、移動床１２を省略することも可能である。
また、トンネル構造体１６は、水平床面及びアーチ天井を有するものが例示されているが、少なくとも水平床面とともにベッド２４の少なくとも一部が収容される内部空間を有するものであればよい。
【００２６】
トンネル構造体１６において、第２レール１３Ｂの反対側には、開口を塞ぐようにパネル５１が設けられている。そしてこのパネル５１は、回転ガントリ１５の回転軸Ｚに一致して自在に回動する回転支持部５７の回転軸５２に支持されている。
【００２７】
回転支持部５７は、回転ガントリの内側面１５ａに固定されるスタンド５６からトンネル構造体１６を軸支する回転軸５２を回転変位させる。これにより回転ガントリ１５の回転変位に依存すること無く、フラットな床面が常に水平を保つように、トンネル構造体１６は静止系に対し静止する。
【００２８】
回転支持部５７は、静止系においてその回転軸５２が、回転ガントリ１５とは逆方向に回転変位する。その結果、回転支持部５７が回転ガントリ１５の内側面１５ａに固定されることで、静止系から見て照射ポート１８が周回している場合でも、トンネル構造体１６を静止状態に保つことができる。
【００２９】
さらに回転支持部５７には、その自重を鉛直方向においてサポートするサポート部材２６が設けられている。このサポート部材２６の一端はトンネル構造体１６又はパネル５１に固定され、その他端は回転ガントリの内側面１５ａに無摩擦接触しその周方向に回転する。なお回転支持部５７の回転軸５２は、モータ等により駆動回転させる場合の他に、自由回転するものであってもよい。
本実施形態において回転支持部５７は、回転軸５２とスタンド５６とから成るものを例示して説明したが、特に限定されるものでなく、回転ガントリの内側面１５ａに対しトンネル構造体１６を回転変位させることができるものであれば、適宜採用される。
【００３０】
以上述べたトンネル構造体１６により、照射ポート１８の回転位置に依存することなく、フラットで水平な床面を有し広さが十分である治療室を、回転ガントリ１５の内部に形成することができる。これによりベッド２４に横臥する患者にアクセスする技師の作業性を向上させることができる。
またこの広い治療室の大半をトンネル構造体１６で担うことができるために、移動床１２の回転軸方向長さを、機能上要求される最小限の長さである照射ポート１８とほぼ同じ長さまで短尺化することが可能となる。その結果、移動床１２を軽量かつ高剛性で作製することができ、もしくは移動床１２を省略することができ、回転駆動機構の負荷を軽減させロバスト性の高い粒子線医療装置を提供することができる。
【００３１】
（第２実施形態）
次に図３（Ａ）（Ｂ）及び図４（Ｃ）（Ｄ）に基づいて本発明における第２実施形態について説明する。なお、図３及び図４において図１と共通の構成又は機能を有する部分は、同一符号で示し、重複する説明を省略する。
【００３２】
第２実施形態の粒子線医療装置１０に適用される移動床１２は、照射ポート１８が貫通する箇所の板材１１の結合が分断された、少なくとも二つの分割体１７Ａ，１７Ｂからなる。そして各々の分割体１７Ａ，１７Ｂは、レール１３の閉軌道を互いに独立に走行するための走行手段２５Ａ，２５Ｂを備えている。
【００３３】
走行手段２５Ａ，２５Ｂとしては、具体的にラック・アンド・ピニオン機構を採用することができる。この場合、ピニオンとよばれる小口径の円形歯車を回転させるモータが、分割体１７の中心に配列する板材１１に設けられている。そして、第１レール１３Ａ及び第２レール１３Ｂの少なくとも一方に、歯切りをしたラックを設ける。このラックとピニオンを組み合わせピニオンに回転力を加えると、ラックの長手方向への直線力に変換され、移動床１２の分割体１７は、レール１３の閉軌道に沿って移動することになる。
【００３４】
走行手段２５Ａ，２５Ｂとしては、ラック・アンド・ピニオン機構に限定されることはなく、分割体１７Ａ，１７Ｂをレール１３の閉軌道に対し、それぞれ独立に走行させることができるものであれば適宜採用することができる。
【００３５】
回転する移動床１２のフラット水平床面は、少なくとも隙間を発生させず、行き来する技師の安全を確保する必要がある。さらに、図４（Ｃ）（Ｄ）を比較して判るように、照射ポート１８の回転位置によって、照射ポート１８を貫通させるのに必要な移動床１２の開口の大きさが異なり、分割体１７Ａ，１７Ｂのエッジが当接する照射ポート１８の側面位置も変化するという実情がある。
【００３６】
そこで、分割体１７Ａ，１７Ｂを移動させる走行手段２５Ａ，２５Ｂの制御ポリシーは、フラット水平床面に分割体１７Ａ，１７Ｂのエッジが位置する場合、このエッジが照射ポート１８か、もしくはお互いに当接するように設定し、フラット水平床面に隙間が生じないようにする。その結果、反対のアーチ側に位置する分割体１７Ａ，１７Ｂのエッジによる開口は許容され、照射ポート１８の回転位置によって、その大きさも変化する。
【００３７】
そして、照射ポート１８及び分割体１７Ａ，１７Ｂの間には、形成された隙間を遮蔽するための遮蔽部３１Ａが設けられている。
照射ポート１８側の遮蔽部３１Ａは、シート３３が巻回されるとともに巻取り方向に回転付勢されたロール３４が、分割体１７のエッジ部に設けられている。そして、巻回されたシート３３の先端３２が他方の照射ポート１８に接続されている。なお、ロール３４とシートの先端３２との取り付け位置を逆にしても良い。
これにより、巻回されたシート３３が、照射ポート１８及び分割体１７Ａ，１７Ｂの間に形成された隙間の大きさにあわせて伸縮し、その開口を遮蔽する。
【００３８】
さらに分割体１７Ａ，１７Ｂの突合せ状態にあるエッジ部の間にも、形成された隙間をその大きさに応じて遮蔽するための遮蔽部３１Ｂが設けられている。
そして、互いに近接しあう二つの分割体１７Ａ，１７Ｂのエッジ部のいずれか一方に、ロール３４が設けられ、他方にシートの先端３２が接続される。
なお、第２実施形態において、遮蔽部３１Ａ，３１Ｂは必須の構成要素ではない。つまり、アーチ側に形成される移動床１２の開口から回転ガントリ１５の内側面１５ａが露見することにこだわらなければ、省略してもよい。
【００３９】
図３（Ａ）に示すように、回転ガントリ１５の回転角度を＋１８０度に設定し、照射ポート１８をベッド２４の真下に位置させる場合を検討する。このときは、照射ポート１８と分割体１７Ａ，１７Ｂのエッジ部とを当接させることで、照射ポート１８の両側に開口を生じさせることなく、移動床１２の水平フラット床面が形成される。
【００４０】
このとき、照射ポート１８側に設けられた遮蔽部３１Ａは、照射ポート１８の付け根部分と分割体１７Ａ，１７Ｂのエッジ部との間で、シート３３が延びた状態を取る。
他方において、アーチ側の分割体１７Ａ，１７Ｂの突合せ位置にある遮蔽部３１Ｂは、形成された隙間を遮蔽するために、シート３３が延びた状態を取る。
【００４１】
次に、図３（Ｂ）に示すように、回転ガントリ１５の回転角度を＋１３５度に設定し、照射ポート１８をベッド２４の斜め下方に位置させる場合を検討する。このときは、図中右側の分割体１７Ａのエッジ部が照射ポート１８の付け根部分に到達している。この際も、分割体１７Ａ，１７Ｂのエッジ部を照射ポート１８側に当接させることで、開口を生じさせることなく、移動床１２の水平フラット床面が形成される。
【００４２】
更に、図４（Ｃ）に示すように、回転ガントリ１５の回転角度を＋９０度に設定し、照射ポート１８をベッド２４の真横に位置させる場合を検討する。このときは、両方の分割体１７Ａ，１７Ｂのエッジ部が照射ポート１８の付け根部分に到達している。この際も、分割体１７Ａ，１７Ｂのエッジ部を照射ポート１８側に当接させることで、開口を生じさせることなく、移動床１２の水平フラット床面が形成される。
【００４３】
このとき、照射ポート１８側に設けられた遮蔽部３１Ａは、照射ポート１８の付け根部分と分割体１７Ａ，１７Ｂのエッジ部との間で、シート３３が縮んだ状態を取る。
他方において、反対側の分割体１７Ａ，１７Ｂの突合せ位置にある遮蔽部３１Ｂは、形成された隙間を遮蔽するために、シート３３が延びた状態を取る。
【００４４】
また、図４（Ｄ）に示すように、回転ガントリ１５の回転角度を０度に設定し、照射ポート１８をベッド２４の真上に位置させる場合を検討する。このときは、水平床面において分割体１７Ａ，１７Ｂのエッジ部を互いに当接させることで、開口を生じさせることなく、移動床１２の水平フラット床面が形成される。
【００４５】
このとき、水平フラット床面に位置する遮蔽部３１Ｂは、シート３３が縮んだ状態を取る。他方において、アーチ側の照射ポート１８に設けられた遮蔽部３１Ａは、生じた開口を遮蔽するために、照射ポート１８の付け根部分と分割体１７Ａ，１７Ｂのエッジ部との間で、シート３３が延びた状態を取る。
【００４６】
なお、上述した、照射ポート１８及び分割体１７Ａ，１７Ｂの位置関係、並びに遮蔽部３１Ａ，３１Ｂの伸縮関係は、例示的に示したものである。このためレール１３の円弧軌道及び直線軌道の長さや照射ポート１８の寸法によっても、これらの関係は適宜変更される。また、上述の例では、回転ガントリ１５が＋１８０度〜０度の範囲を回転する場合を述べたが、回転ガントリ１５は、０度から−１８０度の範囲をも回転する。
回転ガントリ１５及び照射ポート１８は、鏡面対称形状をとるため、回転ガントリ１５が０度〜−１８０度の範囲を回転する場合についても、分割体１７Ａ，１７Ｂを適切に移動制御することで、移動床１２の水平床面に開口が形成されることがない。
【００４７】
なお第２実施形態に係る粒子線医療装置１０は、移動床１２が分割体１７Ａ，１７Ｂで構成されることと、各々に走行手段２５Ａ，２５Ｂが設けられていることと、が必須の構成要件である。このため、トンネル構造体１６や、遮蔽部３１Ａ，３１Ｂが設けられていない粒子線医療装置１０も存在し得る。
【００４８】
（第３実施形態）
次に図５（Ａ）（Ｂ）（Ｃ）に基づいて本発明における第３実施形態について説明する。図５には、第３実施形態に適用される移動床１２の板材１１の連結部３５の拡大図が示されている。なお、図５において図１と共通の構成又は機能を有する部分は、同一符号で示し、重複する説明を省略する。
【００４９】
図５に示すように連結部３５は、隣接する二つの板材１１を結合させる結合部材３６と、それぞれの板材１１のエッジに設けられた切欠部３９において結合部材３６の両端を回動自在に支える軸支部３７と、結合部材３６の回動に関しベッド側への板材１１の屈曲を許容しその反対側への屈曲を規制する規制部材３８と、を備えている。
【００５０】
このように構成されることにより、図５（Ａ）に示す応力Ｆが付与された板材１１は、隣接する板材１１に対して下側に変位しようとするが、この隣接する板材１１に設けられた規制部材３８がこの変位方向に回動しようとする結合部材３６を反力ｆで抑止する。これにより、移動床１２に高い機械剛性が付与されることとなり、技師や患者が乗っても水平床面が大きく撓むことがない。
【００５１】
一方において、図５（Ｃ）に示すように、移動床１２のトンネル形状の隅においては、軸支部３７を中心にして、互いに隣接する板材１１が屈曲することが可能である。同様にして、トンネル形状のアーチ部においてもストレスなく曲面を形成することができる。
図示において規制部材３８は、板材１１の切欠部３９の下側に設けられたブロック材を例示しているが、特に限定はなく、板材１１に対する結合部材３６が、移動床１２の外側に屈曲しないように規制するものであればよい。
【００５２】
なお第３実施形態に係る粒子線医療装置１０は、移動床１２の結合部材３６がベッド側への板材１１の屈曲が許容されその反対側への屈曲が規制されることが必須の構成要件である。このため、トンネル構造体１６設けられていない場合や、移動床１２が分割体１７Ａ，１７Ｂで構成されない場合や、移動床１２に遮蔽部３１Ａ，３１Ｂが設けられない場合の、粒子線医療装置１０も存在し得る。
【００５３】
以上述べた少なくともひとつの実施形態の粒子線医療装置によれば、トンネル構造体を設けることにより治療空間が広く形成されるとともに、移動床の隙間を遮蔽したりその機械剛性を高めたりすることにより汎用性及びロバスト性を向上させることが可能となる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００５５】
１０…粒子線医療装置、１１…板材、１２…移動床、１３Ａ（１３）…第１レール（レール）、１３Ｂ（１３）…第２レール（レール）、１５…回転ガントリ、１５ａ…内側面、１６…トンネル構造体、１７…分割体、１７Ａ（１７）…第１分割体（分割体）、１７Ｂ（１７）…第２分割体（分割体）、１８…照射ポート、１９…粒子線ビーム（ビーム）、２１…基礎、２３…回転駆動部、２４…ベッド、２５Ａ…走行手段、２６…サポート部材、２７…ビーム輸送系、２８…偏向電磁石、３１Ａ，３１Ｂ…遮蔽部、３２…先端、３３…シート、３４…ロール、３５…連結部、３６…結合部材、３７…軸支部、３８…規制部材、３９…切欠部、５１…パネル、５２…回転軸、５３…空洞体、５６…スタンド、５７…回転支持部、６０…壁面。
【図１】
2018201638.tif 000003
【図２】
2018201638.tif 000004
【図３】
2018201638.tif 000005
【図４】
2018201638.tif 000006
【図５】
2018201638.tif 000007